(57)【要約】       【課題】  アンカーボルト挿入用縦孔を開削後、前記アンカーボルト挿入用縦孔の底部２に開削錐開補助基台６を設置し、開削錐開補助基台６は、開補助基台ガイド２３と開削錐開補助基台２４で、構成されます。【解決手段】  アンカーボルト挿入用縦孔を開削後、前記アンカーボルト挿入用縦孔の底部２に開削錐開補助基台６を設置し、横孔用開削機用開削錐５を降ろして行き、開補助基台ガイド２３を開補助基台ガイド受け孔２２にうけ、横孔用開削機用開削錐５を更に降ろして行き、開削錐開補助基台２４に当たったら、横孔用開削機用開削錐５を回転させながら、更に降ろして行きます。横孔開削部開閉錐２０は、開削錐開補助基台２４により広げられ、側壁を開削し始めます。さらに降下を進め、つき当りまで、降ろして行き、開削を完了させます。【選択図】  図３
2020172746.tif 000002
【特許請求の範囲】
【請求項１】
アンカーボルト挿入用縦孔を開削後、前記アンカーボルト挿入用縦孔の底部に開削錐開補助基台を設置し、横孔用開削機用開削錐を降ろして行き、前記アンカーボルト挿入用縦孔にアンカーボルト用横孔を開削する事を特徴とするアンカーボルト用横孔開削機
【請求項２】
前記アンカーボルト用横孔を開削後、前記アンカーボルト挿入用縦孔にコーン付きアンカーボルトを挿入し、前記コーン付きアンカーボルトは、前記コーン側を前記アンカーボルト挿入用縦孔底部に挿入し、コーン付きアンカーボルトネジ部側端部にオープングリップを挿入し、前記オープングリップネジ端部に締め付けナットで締め付けし、硬化剤を投入する事を特徴とする
請求項１に記載のアンカーボルト用横孔開削機
【発明の詳細な説明】
【技術分野】
【０００１】
あと施工アンカーの分野は、施工技術の優劣で、アンカーボルトの強度や耐久性に大きく影響が出てきます。
【背景技術】
【０００２】
平成２４年12月の笹子トンネル天井板落下事故は、記憶に新しいところです。
あの事故で、ケミカルアンカー神話が崩れました。
【０００３】
あと施工アンカーの施工方法は、大きく2種類に分けられます。
打ち込み方式とケミカルアンカー方式の2種類です。
【０００４】
打ち込み方式は、キリで下孔を開け、下孔にアンカーボルトを挿入し、ピン若しくは、玉を打ち込み、アンカー先端部付近を拡張して、下孔の壁にくい込ませて固定します。
【０００５】
ケミカルアンカー方式は、キリで下孔を開け、下孔に薬液を注入し、アンカーボルトを挿入し、化学反応で硬化させ、アンカー強度を増します。
笹子トンネルは、この方式のアンカーでした。
【０００６】
特願2003-340526号は、あと施工アンカー工法に付いてのべられています。
【０００７】
特願2016-216710号は、拡張アンカーについてのべられています。
【先行技術文献】
【特許文献】
【０００８】
【特許文献１】特願2003-340526号
【特許文献２】特願2016-216710号
【特許文献３】特許第5419192号  私の所有特許です。
【発明の概要】
【発明が解決しようとする課題】
【０００９】
打ち込み式のよいところは、下孔を開け、打ち込んですぐに作業が、済み、すぐに、器具固定などが出来ることです。欠点は、ハンマーなどで強く打ち込むので、周囲を破壊し、強度を弱める可能性があります。
【００１０】
ケミカルアンカーは、下孔を開け、薬剤を下孔に注入し、アンカーボルトを挿入し、一定時間待てば、硬化します。ケミカルアンカーのよいところは、ハンマーなどで強く打ち込まないので、周囲を破壊する可能性がありません。
欠点は、硬化時間がかかることと、その間に少しでも動くと、不良施工になり
強度の保証ができなくなる事です。
【００１１】
打ち込み式の良い点と、ケミカル式の良い点を併せ持ち、更に接着強度を高めたアンカーボルトを開発することが課題です。        
【課題を解決するための手段】
【００１２】
現在の打ち込み式とケミカル式で共通な点は、縦孔を削り、その縦孔の側壁と
アンカー本体やケミカル本体との接触圧のみで、アンカー強度を出しています。
本発明は、アンカーボルト挿入用縦孔を開削後、前記アンカーボルト挿入用縦孔の底部に開削錐開補助基台を設置し、横孔用開削機用開削錐を降ろして行き、前記アンカーボルト挿入用縦孔にアンカーボルト用横孔を開削します。
【００１３】
前記アンカーボルト用横孔を開削後、前記アンカーボルト挿入用縦孔にコーン付きアンカーボルトを挿入し、前記コーン付きアンカーボルトは、前記コーン側を前記アンカーボルト挿入用縦孔底部に挿入し、コーン付きアンカーボルトネジ部側端部にオープングリップを挿入し、前記オープングリップネジ端部に締め付けナットで締め付けし、硬化剤を投入します。
【発明の効果】
【００１４】
従来の打ち込み式アンカーやケミカルアンカーでは、出来なかった強度が、実現でき、経年変化してもオープンクリップの効果で、強度が落ない。
【００１５】
あと施工アンカーの安全性が格段に良くなる。
【００１６】
ケミカルアンカーのように硬化時間を待たずに、打込ピンを打ち込み、前記拡張式アンカーを拡張させたらすぐに使用できます。
【図面の簡単な説明】
【００１７】
【図１】現在のアンカーボルト施工イメージ図
【図２】横孔開削機イメージ図
【図３】横孔開削機開削施工イメージ図
【図４】横孔開削機撤去施工イメージ図
【図５】オープングリップ式ケミカルアンカー施工イメージ図
【符号の説明】
【００１８】
１            キリ回転中      
２            開孔部断面図
３            打ち込み式アンカーボルト
４            ケミカル式アンカーボルト
５            横孔用開削機用開削錐
６            開削錐開補助基台
７            横孔用開削機（横孔用開削機用開削錐・開削錐開補助基台
８            横孔開削機用開削錐補助機
９            横孔イメージ図
１０          オープングリップ式ケミカルアンカー
１１          コーン付きアンカーボルト
１２          締め付けナット
１３          オープングリップ
２０          横孔開削部開閉錐
２１          横孔開削錐本体
２２          開補助基台ガイド受け孔
２３          開補助基台ガイド
２４          開削錐開補助基台
【発明を実施するための形態】
【００１９】
以下、本発明の実施の形態を図に基づいて説明する。
図１は、従来の打ち込み式アンカーボルト施工のイメージ図です。
先ず、回転中キリ１で、縦孔２を開けます。開孔部断面図のように縦孔２が、あきます。アンカーボルト３を縦孔に挿入します。打ち込みピンを打ち込みます。
ピンが入って行く事で、アンカーが拡張し、側壁に強力にコンタクトします。
打ち込み式アンカーの場合、アンカーボルト3が、拡張し、側壁にコンタクトすることで強力な接触力になります。この場合、施工完了すると、直ぐに使える状態です。
【００２０】
同じく、図１の４は、従来のケミカル式アンカーボルト施工イメージ図です。
先ず、回転中キリ１で、縦孔２を開けます。開孔部断面図のように縦孔が、あきます。縦孔２にケミカルカプセル４を挿入し、カプセルの保護カバーを破砕し、硬化剤を放出し、アンカーボルト４を硬化材の中に挿入し硬化材の硬化を待ちます。薬剤によって１〜時間待ちとなります。この待ち時間が、ケミカルアンカーの欠点と言えます。
【００２１】
図２は、横孔開削機イメージ図です。
アンカーボルト挿入用縦孔を開削後、前記アンカーボルト挿入用縦孔の底部２に開削錐開補助基台６を設置し、開削錐開補助基台６は、開補助基台ガイド
２３と開削錐開補助基台２４で、構成されます。
横孔用開削機用開削錐５を降ろして行き、前記アンカーボルト挿入用縦孔にアンカーボルト用横孔を開削します。横孔用開削機用開削錐５は、横孔開削部開閉錐２０と横孔開削錐本体２１と開補助基台ガイド受け孔２２で構成されます。
【００２２】
図３は、アンカーボルト挿入用縦孔を開削後、前記アンカーボルト挿入用縦孔の底部２に開削錐開補助基台６を設置し、横孔用開削機用開削錐５を降ろして行き、開補助基台ガイド２３を開補助基台ガイド受け孔２２にうけ、横孔用開削機用開削錐５を更に降ろして行き、開削錐開補助基台２４に当たったら、横孔用開削機用開削錐５を回転させながら、更に降ろして行きます。
横孔開削部開閉錐２０は、開削錐開補助基台２４により広げられ、側壁を開削し始めます。さらに降下を進め、つき当りまで、降ろして行き、開削を完了させます。
【００２３】
図４は、開削を完了し、横孔用開削機用開削錐５を撤去します。横孔開削部開閉錐２０は、開削錐開補助基台２４により広げられていますので、横孔開削機用開削錐補助機8をアンカーボルト挿入用縦孔２に押し込みながら、開いている横孔開削部開閉錐２０を閉じながら、横孔用開削機用開削錐５を引き上げます。横孔用開削機用開削錐５を引き抜きおわったら、開削錐開補助基台６を撤去して、撤去完了です。
【００２４】
アンカーボルト用横孔９を開削後、前記アンカーボルト挿入用縦孔にコーン付きアンカーボルト１１を挿入し、前記コーン付きアンカーボルト１１は、前記コーン側を前記アンカーボルト挿入用縦孔２底部に挿入し、コーン付きアンカーボルト１１ネジ部側端部にオープングリップ１３を挿入し、前記オープングリップ１１ネジ端部に締め付けナット１２で締め付けし、硬化剤を投入します。硬化剤が、硬化し完了です。
【図１】
2020172746.tif 000003
【図２】
2020172746.tif 000004
【図３】
2020172746.tif 000005
【図４】
2020172746.tif 000006
【図５】
2020172746.tif 000007